(57)【特許請求の範囲】
【請求項１】
第１コネクタと、
前記第１コネクタが挿入されるコネクタ嵌合室を有すると共に治具支持部が設けられた第２コネクタと、
前記治具支持部に着脱自在に設けられ、前記治具支持部に装着された状態で操作すると、操作力より大きな外力によって前記第１コネクタを本嵌合位置まで押圧できる嵌合補助治具とを備えたものであり、
嵌合後に、前記嵌合補助治具のコネクタ押圧部を前記治具支持部の長孔より引き抜くことによって、前記嵌合補助治具を前記治具支持部より取り外すことを特徴とするコネクタ装置。
【請求項２】
第１コネクタと、
前記第１コネクタが挿入されるコネクタ嵌合室を有すると共に、嵌合補助治具が着脱自在である治具支持部が設けられた第２コネクタとを備えたものであり、
嵌合後に、前記嵌合補助治具のコネクタ押圧部を前記治具支持部の長孔より引き抜くことによって、前記嵌合補助治具を前記治具支持部より取り外すことを特徴とするコネクタ装置。
【請求項３】
請求項１又は請求項２記載のコネクタ装置であって、
前記嵌合補助治具は、回転支持軸を介して連結された操作レバーとコネクタ押圧部を有し、前記回転支持軸を回転中心とするアーム長さが前記操作レバーより前記コネクタ押圧部が短く設定されており、
前記嵌合補助治具は前記第２コネクタの前記治具支持部に回転自在な状態で装着され、前記操作レバーを前記回転支持軸を中心として回転操作すると、前記コネクタ押圧部が一体に回転して前記第１コネクタを本嵌合位置まで押圧することを特徴とするコネクタ装置。
【請求項４】
請求項１〜請求項３のいずれかに記載のコネクタ装置であって、
前記第１コネクタと前記第２コネクタには、前記コネクタ嵌合室に挿入された前記第１コネクタを仮嵌合位置で仮係止する仮係止手段が設けられたことを特徴とするコネクタ装置。
【発明の詳細な説明】
【技術分野】
【０００１】
本発明は、低操作力によって第１コネクタと第２コネクタを嵌合できるコネクタ装置に関する。
【背景技術】
【０００２】
この種の従来のコネクタ装置としては、特許文献１に開示されたものがある。このコネクタ装置１００は、図１０〜図１２に示すように、第１コネクタ１１０と第２コネクタ１３０を備えている。第１コネクタ１１０は、雄ハウジング１１１と、この雄ハウジング１１１に回転自在に設けられた操作レバー１２０とを有する。雄ハウジング１１１内には、底面側に開口される多数の端子収容室（図示せず）が形成されている。各端子収容室（図示せず）には、雌端子（図示せず）がそれぞれ配置されている。雄ハウジング１１１の後端側には、左右の外側に向かって突出する一対のガイドプレート１１３が設けられている。各ガイドプレート１１３には、上下方向に延びるガイド長孔１１４が形成されている。又、雄ハウジング１１１の左右の側面には、一対の被押圧突起部１１５が設けられている。
【０００３】
操作レバー１２０は、一対の側板１２１とこれらを前端側で連結する操作部１２２とを有する。一対の側板１２１の後端には、ガイド突起１２３がそれぞれ設けられている。一対のガイド突起１２３は、雄ハウジング１１１の一対のガイド長孔１１４に係合されている。各側板１２１の中間箇所には、係合孔１２４がそれぞれ形成されている。各係合孔１２４に雄ハウジング１１１の被押圧突起部１１５がそれぞれ係合されている。又、各側板１２１の外面には、ハウジング用ガイド突起１２５がそれぞれ設けられている。
【０００４】
第２コネクタ１３０は、雌ハウジング１３１を有する。この雌ハウジング１３１には、上面が開口されたコネクタ嵌合室１３２が形成されている。コネクタ嵌合室１３２の底面には多数の雄端子１３３が立設されている。雌ハウジング１３１の左右の側壁の内面には、一対のガイド溝１３４がそれぞれ形成されている。各ガイド溝１３４は、互いに水平方向に少しずれた位置で垂直方向に沿って延びる上方垂直溝部１３４ａ及び下方垂直溝部１３４ｂと、上方垂直溝部１３４ａ及び下方垂直溝部１３４ｂの間を連結する仮係止溝部１３４ｃとから構成されている。
【０００５】
次に、第１コネクタ１１０と第２コネクタ１３０の嵌合手順を説明する。図１１に示すように、操作レバー１２０の一対のハウジング用ガイド突起１２５を雌ハウジング１３１のガイド溝１３４の上方垂直溝部１３４ａに位置合わせし、第１コネクタ１１０の雄ハウジング１１１を第２コネクタ１３０のコネクタ嵌合室１３２に挿入する。第１コネクタ１１０の雄ハウジング１１１は、操作レバー１２０の一対のハウジング用ガイド突起１２５が一対のガイド溝１３４の上方垂直溝部１３４ａにガイドされつつ第２コネクタ１３０のコネクタ嵌合室１３２に挿入される。一対のハウジング用ガイド突起１２５がガイド溝１３４の仮係止溝部１３４ｃの下壁１３５（図１１に示す）に突き当たると、第１コネクタ１１０の雄ハウジング１１１を水平方向に少し移動させ、一対のハウジング用ガイド突起１２５をガイド溝１３４の仮係止溝部１３４ｃに入り込ませる。これによって、第１コネクタ１１０の雄ハウジング１１１が仮嵌合位置とされる。仮嵌合位置では、一対のハウジング用ガイド突起１２５が仮係止溝部１３４ｃの上壁１３６（図１１に示す）で規制されるため、雄ハウジング１１１が真上方向に移動できなくなる。
【０００６】
次に、操作レバー１２０を図１２のＡ矢印方向に回転操作する。すると、操作レバー１２０は一対のハウジング用ガイド突起１２５を回転支点として一対の被押圧突起部１１５を下方に押圧しつつ回転する。一対の被押圧突起部１１５が下方に押圧されることによって、第１コネクタ１１０の雄ハウジング１１１は、そのハウジング用ガイド突起１２５がガイド溝１３４の下方垂直溝部１３４ｂにガイドされつつコネクタ嵌合室１３２の奥方向に移動される。
【０００７】
操作レバー１２０がほぼ水平向きの位置まで回転操作すると、雄ハウジング１１１がコネクタ嵌合室１３２の本嵌合位置まで移動する。これで嵌合作業が完了する。本嵌合位置では、雄ハウジング１１１内の各雌端子（図示せず）と雌ハウジング１３１の各雄端子１３３間が所望の接続状態で接続される。
【０００８】
このような操作レバー１２０の操作による第１コネクタ１１０の嵌合過程にあって、操作レバー１２０のハウジング用ガイド突起１２５がてこの原理の支点、操作レバー１２０の係合孔１２４がてこの原理の作用点、操作レバー１２０の操作部１２２がてこの原理の力点となり、低操作力で第１コネクタ１１０と第２コネクタ１３０を嵌合することができる。
【先行技術文献】
【特許文献】
【０００９】
【特許文献１】特開２００２−３５９０２８号公報
【発明の概要】
【発明が解決しようとする課題】
【００１０】
しかしながら、前記従来のコネクタ装置１００では、第１コネクタ１１０と第２コネクタ１３０の嵌合後にも操作レバー１２０が雄ハウジング１１１に付設されるため、コネクタ装置１００が重量化するという問題がある。又、第１コネクタ１１０には、雄ハウジング１１１毎に操作レバー１２０を付設する必要があるため、コネクタ装置１００が高コスト化するという問題がある。
【００１１】
そこで、本発明は、前記した課題を解決すべくなされたものであり、コネクタ同士を低操作力で嵌合できるコネクタ装置にあって、コネクタ装置の軽量化、低コスト化を図ることができるコネクタ装置を提供することを目的とする。
【課題を解決するための手段】
【００１２】
請求項１の発明は、第１コネクタと、前記第１コネクタが挿入されるコネクタ嵌合室を有すると共に治具支持部が設けられた第２コネクタと、前記治具支持部に着脱自在に設けられ、前記治具支持部に装着された状態で操作すると、操作力より大きな外力によって前記第１コネクタを本嵌合位置まで押圧できる嵌合補助治具とを備えたものであり、嵌合後に、前記嵌合補助治具のコネクタ押圧部を前記治具支持部の長孔より引き抜くことによって、前記嵌合補助治具を前記治具支持部より取り外すことを特徴とする。
【００１３】
請求項２の発明は、第１コネクタと、前記第１コネクタが挿入されるコネクタ嵌合室を有すると共に、嵌合補助治具が着脱自在である治具支持部が設けられた第２コネクタとを備えたものであり、嵌合後に、前記嵌合補助治具のコネクタ押圧部を前記治具支持部の長孔より引き抜くことによって、前記嵌合補助治具を前記治具支持部より取り外すことを特徴とする。
【００１４】
請求項３の発明は、請求項１又は請求項２記載のコネクタ装置であって、前記嵌合補助治具は、回転支持軸を介して連結された操作レバーとコネクタ押圧部を有し、前記回転支持軸を回転中心とするアーム長さが前記操作レバーより前記コネクタ押圧部が短く設定されており、前記嵌合補助治具は前記第２コネクタの前記治具支持部に回転自在な状態で装着され、前記操作レバーを前記回転支持軸を中心として回転操作すると、前記コネクタ押圧部が一体に回転して前記第１コネクタを本嵌合位置まで押圧することを特徴とする。
【００１５】
請求項４の発明は、請求項１〜請求項３のいずれかに記載のコネクタ装置であって、前記第１コネクタと前記第２コネクタには、前記コネクタ嵌合室に挿入された前記第１コネクタを仮嵌合位置で仮係止する仮係止手段が設けられたことを特徴とする。
【発明の効果】
【００１６】
請求項１の発明によれば、第２コネクタの治具支持部に嵌合補助治具を装着して第１コネクタを本嵌合位置まで挿入すると、その後、嵌合補助治具を第２コネクタの治具支持部より取り外すことができるため、コネクタ装置には嵌合補助治具が残らないと共に嵌合補助治具を別のコネクタ装置の嵌合作業に利用できる。従って、コネクタ同士を低操作力で嵌合できるコネクタ装置にあって、コネクタ装置の軽量化、低コスト化を図ることができる。
【００１７】
又、嵌合補助治具は、治具支持部に着脱自在であるため、操作力と押圧力の比率が異なる治具への変更が容易である。操作力と押圧力の比率が異なる嵌合補助治具を複数種類用意することにより、嵌合作業性の向上を図ることができ、種類の異なるコネクタ装置への対応も可能である。
【００１８】
請求項２の発明によれば、操作力より大きな外力によって第１コネクタを仮嵌合位置から本嵌合位置に押圧できる嵌合補助治具を治具支持部に装着し、嵌合補助治具の操作によって第１コネクタを本嵌合位置まで挿入し、その後、嵌合補助治具を第２コネクタの治具支持部より取り外すことができるため、コネクタ装置には嵌合補助治具が残らないと共に嵌合補助治具を別のコネクタ装置の嵌合作業に利用できる。従って、コネクタ同士を低操作力で嵌合できるコネクタ装置にあって、コネクタ装置の軽量化、低コスト化を図ることができる。
【００１９】
請求項３の発明によれば、請求項１又は請求項２の発明の効果に加え、嵌合補助治具の構成が簡単であり、低コストで作製できる。又、嵌合補助治具の回転操作によって第１コネクタを本嵌合位置に挿入できる。
【００２０】
請求項４の発明によれば、請求項１〜請求項３の発明の効果に加え、第１コネクタは仮係止手段によって仮嵌合位置に位置決めされるため、あらかじめ決められた位置より嵌合補助治具による嵌合作業ができ、スムーズな嵌合作業が可能である。
【図面の簡単な説明】
【００２１】
【図１】本発明の一実施形態を示し、コネクタ装置の分解斜視図である。
【図２】本発明の一実施形態を示し、第１コネクタをコネクタ嵌合室の仮嵌合位置まで挿入した状態を示す側面図である。
【図３】本発明の一実施形態を示し、図２のＡ−Ａ線断面図である。
【図４】本発明の一実施形態を示し、嵌合補助治具を治具支持部に装着する過程を示すコネクタ装置の斜視図である。
【図５】本発明の一実施形態を示し、（ａ）は嵌合補助治具を治具支持部に装着完了した状態を示すコネクタ装置の斜視図、（ｂ）は嵌合補助治具を治具支持部に装着完了した状態を示すコネクタ装置の側面図、（ｃ）は（ｂ）のＢ−Ｂ線断面図である。
【図６】本発明の一実施形態を示し、（ａ）は嵌合補助治具を少し回転操作した状態を示すコネクタ装置の斜視図、（ｂ）は嵌合補助治具を少し回転操作した状態を示すコネクタ装置の側面図、（ｃ）は（ｂ）のＣ−Ｃ線断面図である。
【図７】本発明の一実施形態を示し、（ａ）は嵌合補助治具を更に回転操作した状態を示すコネクタ装置の斜視図、（ｂ）は嵌合補助治具を更に回転操作した状態を示すコネクタ装置の側面図、（ｃ）は（ｂ）のＤ−Ｄ線断面図である。
【図８】本発明の一実施形態を示し、（ａ）は嵌合補助治具を水平向きまで回転操作した状態を示すコネクタ装置の斜視図、（ｂ）は嵌合補助治具を水平向きまで回転操作した状態を示すコネクタ装置の側面図、（ｃ）は（ｂ）のＥ−Ｅ線断面図である。
【図９】本発明の一実施形態を示し、嵌合補助治具を治具支持部より取り外した状態を示すコネクタ装置の斜視図である。
【図１０】従来例を示し、コネクタ装置の斜視図である。
【図１１】従来例を示し、第１コネクタの雄ハウジングを第２コネクタの雌ハウジングに挿入する前の状態を示すコネクタ装置の断面図である。
【図１２】従来例を示し、第１コネクタの雄ハウジングを第２コネクタのコネクタ嵌合室の仮嵌合位置まで挿入した状態を示すコネクタ装置の断面図である。
【発明を実施するための形態】
【００２２】
以下、本発明の一実施形態を図面に基づいて説明する。
【００２３】
図１〜図９は本発明の一実施形態を示し、図１はコネクタ装置１の分解斜視図、図２〜図９はそれぞれ第１コネクタ１０と第２コネクタ２０の嵌合過程を示す図である。
【００２４】
図１に示すように、コネクタ装置１は、第１コネクタ１０と第２コネクタ２０と嵌合補助治具３０とを備えている。
【００２５】
第１コネクタ１０は、直方体形状の雄ハウジング１１を有する。雄ハウジング１１は、以下の説明の便宜上、長寸法方向を横方向、短寸法方向を縦方向とする。雄ハウジング１１内には、底面側に開口される多数の端子収容室（図示せず）が形成されている。各端子収容室には、雌端子（図示せず）がそれぞれ配置されている。雄ハウジング１１の側壁等には、底面に開口し、且つ、垂直方向に延びるガイドスリット１２が適所に形成されている。雄ハウジング１１の前後壁には、垂直方向に延びる一条のガイド縦溝１３がそれぞれ形成されている。この一対のガイド縦溝１３の対応する位置には、係止受け突部１４（図３に示す）がそれぞれ設けられている。
【００２６】
第２コネクタ２０は、雌ハウジング２１と治具支持部２２を有する。この雌ハウジング２１には、上面が開口された長方体形状のコネクタ嵌合室２３が形成されている。コネクタ嵌合室２３の底面には、多数の雄端子（図示せず）が立設されている。又、コネクタ嵌合室２３には、底面より立設されたガイド仕切壁２４が適所に設けられている。雌ハウジング２１の前後壁の内面には、係止突起２５（図３に示す）がそれぞれ設けられている。一対の係止突起２５と第１コネクタ１０の係止受け突部１４によって仮係止手段２（図３に示す）が構成されている。
【００２７】
雌ハウジング２１の前後壁の外面には、各係止突起２５の位置を含む上下領域を肉薄とするための縦溝２６が形成されている。この肉薄箇所の撓み変形によって係止突起２５が外側に変移できるようになっている。
【００２８】
治具支持部２２は、長方形のプレート体であり、雌ハウジング２１の一方の側壁の中央位置より上方に立設されている。治具支持部２２には、水平方向に延びる長孔２７が形成されている。この長孔２７の長手方向の寸法は、嵌合補助治具３０の下記するコネクタ押圧部３２を水平方向の向きで挿入できる大きさに設定されている。長孔２７の長手方向の直交方向の寸法は、嵌合補助治具３０下記する回転支持軸３３の直径とほぼ同じ、若しくは、若干だけ大きな寸法に設定されている。
【００２９】
嵌合補助治具３０は、操作レバー３１とコネクタ押圧部３２とこれらを互いの中央位置で連結する回転支持軸３３とから構成されている。操作レバー３１の回転支持軸３３の中心からのアーム長さＬ１は、コネクタ押圧部３２の回転支持軸３３からのアーム長さＬ２（Ｌ２＜Ｌ１）に対し長く設定されている。このような寸法設定により、回転支持軸３３の回転中心がてこの原理の支点、操作レバー３１の端部がてこの原理の力点、コネクタ押圧部３２の端部がてこの原理の作用点として使用することにより、低操作力で第１コネクタ１０と第２コネクタ２０を嵌合することができる。嵌合補助治具３０は、そのコネクタ押圧部３２を治具支持部２２の長孔２７に挿入して治具支持部２２に装着できる。又、治具支持部２２に装着した嵌合補助治具３０を治具支持部２２より取り外すことができる。つまり、嵌合補助治具３０は、治具支持部２２に着脱自在に設けられている。
【００３０】
又、コネクタ押圧部３２の両側の端面は、アール面３２ａに形成されている。つまり、コネクタ押圧部３２の端面は第１コネクタ１０の雄ハウジング１１を押圧する面であり、その両側の端面がアール面３２ａに形成されている。回転支持軸３３の長さ寸法は、嵌合補助治具３０を治具支持部２２に装着した状態で、コネクタ押圧部３２が雄ハウジング１１の上面の縦方向のほぼ中心位置を押圧するよう設定されている。ここで、治具支持部２２が雄ハウジング１１の横方向のほぼ中心位置に位置されているため、嵌合補助治具３０のコネクタ押圧部３２は、雄ハウジング１１の縦方向及び横方向の双方のほぼ中心位置を押圧する。
【００３１】
次に、第１コネクタ１０と第２コネクタ２０の嵌合手順を説明する。図２及び図３に示すように、第１コネクタ１０を第２コネクタ２０のコネクタ嵌合室２３に挿入する。すると、第１コネクタ１０の各ガイドスリット１２に第２コネクタ２０のガイド仕切壁２４が入り込み、これによって第１コネクタ１０が適正な挿入位置を保持しつつ挿入される。そして、仮嵌合位置まで挿入すると、第１コネクタ１０の一対の係止受け突部１４に第２コネクタ２０の一対の係止突起２５が係止される。これにより、第１コネクタ１０は仮嵌合位置で仮係止される。仮嵌合位置では、第１コネクタ１０の雌端子（図示せず）と第２コネクタ２０の雄端子（図示せず）間が接触手前であるため、第１コネクタ１０は仮嵌合位置までは比較的弱い嵌合力によって挿入できる。
【００３２】
次に、図４に示すように、嵌合補助治具３０を水平方向とし、そのコネクタ押圧部３２を治具支持部２２の長孔２７に挿入する。すると、図５（ａ）〜（ｃ）に示すように、嵌合補助治具３０のコネクタ押圧部３２の下面が第１コネクタ１０の雄ハウジング１１の上面にほぼ当接した状態となる。
【００３３】
次に、図６（ａ）〜（ｃ）に示すように、作業者が操作レバー３１を回転操作する。回転方向は左右どの方向でも良い。すると、コネクタ押圧部３２の端部のアール面３２ａが雄ハウジング１１の上面を押圧しつつ一体に回転する。これにより、第１コネクタ１０がコネクタ嵌合室２３の奥方向に移動する。図７（ａ）〜（ｃ）に示すように、操作レバー３１の回転操作が進むと、第１コネクタ１０がコネクタ嵌合室２３の奥方向に更に移動する。
【００３４】
そして、図８（ａ）〜（ｃ）に示すように、操作レバー３１が垂直向きになるまで回転操作すると、コネクタ押圧部３２も垂直向きとなり、第１コネクタ１０の雄ハウジング１１がコネクタ嵌合室２３の本嵌合位置に達する。これにより、第１コネクタ１０の各雌端子（図示せず）と第２コネクタ２０の各雄端子（図示せず）間が所望の接続状態で接続される。
【００３５】
最後に、図９に示すように、垂直向きの操作レバー３１を回転して水平向きに戻し、コネクタ押圧部３２を治具支持部２２の長孔２７より引き抜くことによって、嵌合補助治具３０を治具支持部２２より取り外す。これで嵌合作業が完了する。
【００３６】
以上、説明したように、第１コネクタ１０と、第１コネクタ１０が挿入されるコネクタ嵌合室２３を有すると共に治具支持部２２が設けられた第２コネクタ２０と、治具支持部２２に着脱自在に設けられ、治具支持部２２に装着された状態で操作すると、操作力より大きな外力によって第１コネクタ１０を本嵌合位置まで押圧できる嵌合補助治具３０とを備えている。従って、第２コネクタ２０の治具支持部２２に嵌合補助治具３０を装着して第１コネクタ１０を本嵌合位置まで挿入できる。そして、その後に、嵌合補助治具３０を第２コネクタ２０の治具支持部２２より取り外すことができるため、コネクタ装置１には嵌合補助治具３０が残らないと共に嵌合補助治具３０を別のコネクタ装置の嵌合作業に利用できる。従って、コネクタ同士を低操作力で嵌合できるコネクタ装置１にあって、コネクタ装置１の軽量化、低コスト化を図ることができる。
【００３７】
又、嵌合補助治具３０は、治具支持部２２に着脱自在であるため、操作力と押圧力の比率が異なる治具への変更が容易である。操作力と押圧力の比率が異なる嵌合補助治具３０を複数種類用意することにより、嵌合作業性の向上を図ることができ、種類の異なるコネクタ装置１への対応も容易である。
【００３８】
嵌合補助治具３０は、回転支持軸３３を介して連結された操作レバー３１とコネクタ押圧部３２を有し、回転支持軸３３を回転中心とするアーム長さが操作レバー３１よりコネクタ押圧部３２が短く設定されており、嵌合補助治具３０は第２コネクタ２０の治具支持部２２に回転自在な状態で装着され、操作レバー３１を回転支持軸３３を中心として回転操作すると、コネクタ押圧部３２が一体に回転して第１コネクタ１０を本嵌合位置まで押圧するよう構成されている。従って、嵌合補助治具３０の構成が簡単であり、低コストで作製できる。又、嵌合補助治具３０の回転操作によって第１コネクタ１０を本嵌合位置に挿入できる。
【００３９】
この実施形態では、嵌合補助治具３０は、操作レバー３１とコネクタ押圧部３２とこれらを連結する回転支持軸３３とから構成されているが、嵌合補助治具３０はこれに限定されるものではなく、治具支持部２２に着脱自在に設けられ、治具支持部２２に装着された状態で操作すると、操作力より大きな外力によって第１コネクタ１０を本嵌合位置に押圧できるものであれば良い。
【００４０】
コネクタ押圧部３２は、第１コネクタ１０のほぼ中心位置、詳細には、雄ハウジング１１の縦方向及び横方向のほぼ中心位置を押圧する。従って、第１コネクタ１０にはその挿入方向以外の外力をほとんど作用させることなく第１コネクタ１０を押圧できるため、第１コネクタ１０をスムーズに本嵌合位置に移動させることができる。
【００４１】
コネクタ押圧部３２は、第１コネクタ１０の雄ハウジング１１を押圧する面がアール面３２ａに形成されている。従って、コネクタ押圧部３２はその回転に伴ってスムーズに第１コネクタ１０の雄ハウジング１１の上面を押圧できるため、第１コネクタ１０がスムーズに挿入される。
【００４２】
コネクタ押圧部３２の両側の端面がアール面３２ａに形成されているので、左右どちらの回転方向でも第１コネクタ１０の雄ハウジング１１を押圧できるため、使い勝手が良い。
【００４３】
第１コネクタ１０と第２コネクタ２０には、コネクタ嵌合室２３に挿入された第１コネクタ１０を仮嵌合位置で仮係止する仮係止手段２が設けられている。従って、第１コネクタ１０は仮係止手段２によって仮嵌合位置に位置決めされるため、あらかじめ決められた位置より嵌合補助治具３０による嵌合作業ができ、スムーズな嵌合作業が可能である。
【００４４】
尚、この実施形態では、嵌合補助治具３０は、操作レバー３１とコネクタ押圧部３２とこれらを連結する回転支持軸３３とから構成されているが、嵌合補助治具３０はこれに限定されるものではなく、治具支持部２２に着脱自在に設けられ、治具支持部２２に装着された状態で操作すると、操作力より大きな外力によって第１コネクタ１０の雄ハウジング１１を本嵌合位置に押圧できるものであれば良い。
【符号の説明】
【００４５】
１  コネクタ装置
２  仮係止手段
１０  第１コネクタ
２０  第２コネクタ
２２  治具支持部
２３  コネクタ嵌合室
３０  嵌合補助治具
３１  操作レバー
３２  コネクタ押圧部
３３  回転支持軸
【図１】
0005470035.tif 000002
【図２】
0005470035.tif 000003
【図３】
0005470035.tif 000004
【図４】
0005470035.tif 000005
【図５】
0005470035.tif 000006
【図６】
0005470035.tif 000007
【図７】
0005470035.tif 000008
【図８】
0005470035.tif 000009
【図９】
0005470035.tif 000010
【図１０】
0005470035.tif 000011
【図１１】
0005470035.tif 000012
【図１２】
0005470035.tif 000013